(57)【要約】      （修正有）【課題】組み合わせ式収納箱の連接構造を提供する。【解決手段】組み合わせ式収納箱の連接構造は、收納箱１と連接素子２を有し、前記収納箱背面両側は、対応する係合部１１３３を設置し、前記連接素子正面両側は、内面に係合槽を有するフック部を凸設し、使用時、前記連接素子を利用して、簡単に、並列配置された収納箱を連接結合し、並列配置された収納箱が、きちんと整い、美観と使用時の便利性の両方が達成される。【選択図】図１
0003172045.tif 000002
【実用新案登録請求の範囲】
【請求項１】
組み合わせ式収納箱の連接構造であって、
背面両側に、対応する係合部を設置する収納箱と、
片状体で、正面両側に、相対するフック部を凸設し、前記フック部内面は係合槽を設置し、前記両フック部の係合槽を利用して、並列に設置された収納箱背面の相鄰する係合部上に係合し、並列に設置された收納箱が連接結合する連接素子と、
からなることを特徴とする組み合わせ式収納箱の連接構造。
【請求項２】
前記収納箱は、外箱と内箱し、前記外箱は、底板、蓋板と複数の立柱から構成され、前記底板頂面両側辺は、それぞれ、複数の下槽を設置し、前記蓋板底面頂面両側辺は、それぞれ、複数の上槽を設置し、前記立柱断面はコの字型で、上端は上挿入部を有し、蓋板底面両側辺の上槽に挿入、固定され、下端設は下挿入部を有し、底板頂面両側辺の下槽に挿入、固定され、両側面は、上から下に広がる斜状係合部を形成し、前記連接素子の両フック部内面の係合槽は、上から下に広がる斜状であることを特徴とする請求項1に記載の組み合わせ式収納箱の連接構造。
【請求項３】
前記収納箱の係合部上端はノッチを設置し、連接素子の両フック部内面の係合槽上端は、前記の両ノッチ下縁で定位する停止ブロックを有することを特徴とする請求項1に記載の組み合わせ式収納箱の連接構造。
【考案の詳細な説明】
【技術分野】
【０００１】
本考案は、連接構造に関するものであって、特に、並列設置する収納箱の簡易連接結合が可能な組み合わせ式収納箱の連接構造に関するものである。
【背景技術】
【０００２】
收納箱は、物品を収納、整理、取り出しができる箱、収納箱は、それぞれ、独立して使用することができ、また、積み重ねたり、並列に配置することができ、空間を占有しないという特徴がある。一般の收納箱は、上蓋式收納箱と引き出し式收納箱に分けられ、引き出し式收納箱の構造は、外箱と内箱を含み、外箱は、基本的に、直方体で、正面に開口を有する。積み重ねて設置する時、各開口は外側を向き、内箱は引き出し状で、外箱内に収容され、正面はとってを設置して、引き出しの開閉が容易である。
しかし、公知の引き出し式收納箱は、積み重ねた時、外箱上下の凹槽と凸部の嵌合により、ある程度安定し、積み重ね時に上部の収納箱が滑落しにくくなっているが、收納箱の並列配置時、收納箱間は互いに連接できず、並列の収納箱に歪みが生じ、室内の印象に影響したり、収納箱の積み重ね時の安定が悪くなる。
【考案の概要】
【考案が解決しようとする課題】
【０００３】
本考案は、連接素子を利用して、並列配置された収納箱を簡単に連接結合することができると共に、並列配置された収納箱がきちんと整い、連接素子の連接結合作用により、收納箱の積み重ね時に、更に安定する組み合わせ式収納箱の連接構造を提供することを目的とする。
【課題を解決するための手段】
【０００４】
本考案は、組み合わせ式収納箱の連接構造を提供し、連接構造は、收納箱と連接素子を含み、收納箱背面両側は、対応する係合部を設置し、連接素子は片状体で、正面両側は、相対するフック部を凸設し、フック部内面は係合槽を設置して、連接素子が、両フック部の係合槽を利用して、並列された收納箱背面の相隣する係合部上に係合され、並列の收納箱を連接結合する。
【考案の効果】
【０００５】
連接素子を利用し、係合方式で、簡単に、結合でき、並列配置された収納箱がきちんと揃い、また、收納箱の積み重ね時の安定性がよく、美観と使用時の便利性の両方が達成される。
【図面の簡単な説明】
【０００６】
【図１】本考案の立体分解図である。
【図２】本考案の単一の收納箱の立体分解図である。
【図３】本考案の連接素子の立体図である。
【図４】本考案の組み合わせ操作図である。
【図５】本考案の立体組み合わせ図である。
【図６】本考案の組み合わせ断面図である。
【図７】別の角度の組み合わせ断面図である。
【図８】本考案のもう一つの実施例の立体図である。
【図９】本考案の更に別の実施例の立体図である。
【考案を実施するための形態】
【０００７】
図1から図3で示されるように、本考案は、收納箱1と連接素子2を含む。收納箱1は、外箱11と内箱12を有する。外箱11は、底板111、蓋板112と六本の立柱113から構成される。底板111頂面両側辺の前、後端と中段に、それぞれ、下槽1111を設置する。蓋板112底面頂面両側辺の前、後端と中段に、それぞれ、上槽1121を設置する。立柱113断面は、コの字型をなし、上端は上挿入部1131を設置し、蓋板112底面両側辺の上槽1121に挿入、固定され、下端は下挿入部1132を設置し、底板111頂面両側辺の下槽1111に挿入、固定され、両側は、上から下に広がる斜状係合部1133を形成すると共に、係合部1133上端にノッチ1134を設置する。内箱12は引き出し状で、外箱11内に収容され、正面はとって121を有して、内箱12の開閉動作が行える。連接素子2は片状体で、正面両側は、相対するフック部21を凸設し、フック部21内面は、上から下に広がる斜状係合槽211を設置すると共に、結合槽211上端は、停止ブロック2111を設置する。
二個の收納箱1を並列接続したい時、図4から図7で示されるように、二個の收納箱1を並列に並べ揃え、連接素子2を、二收納箱1背面の相隣する係合部1133間の上端に配置し、続いて、連接素子2を下に滑動させる。係合部1133は、上から下に広がる斜状で、連接素子2の両フック部21の係合槽211を、両收納箱1背面の相隣する係合部1133上に係合させると、同時に、連接素子2の両フック部21の係合槽211上端の停止ブロック2111が、両收納箱1背面の相隣する係合部1133上端のノッチ1134下縁で定位し、並列の両收納箱1が、簡単、且つ、快速に、連接結合され、收納箱1の配置が容易で、安定度が高い。
また、並列接続の両收納箱1を分離したい時、連接素子2を上に滑動させ、連接素子2の両フック部21の係合槽211を、両收納箱1背面の相隣する係合部1133から脱離させるだけで、連接素子2を外すことができ、両收納箱1が分離する。
使用時、図8で示されるように、三個の收納箱1、又は、それ以上の收納箱1を並列に並べ、上述方式により、連接素子2の両フック部21の係合槽211を、三個の收納箱1、又は、それ以上の收納箱1背面の相隣する係合部1133上に係合すると、これらの收納箱1を連接結合することができる。
図9で示されるように、二組、又は、それ以上が並列接続された收納箱1の積み重ねは、連接素子2の連接結合作用を利用すれば、收納箱1の積み重ね時に、安定性が高く、又、収納箱が互いにきちんと揃う。
本考案の組み合わせ式収納箱1を並列する時、連接素子2を利用し、係合方式で、簡単に、並列配置された収納箱1を連接結合し、並列配置された収納箱1がきちんと揃い、また、連接素子2の連接結合作用により、收納箱1の積み重ね時の安定性がよく、美観と使用時の便利性の両方が達成され、收納箱1の実用性が高まる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
1   收納箱              11   外箱
111 
底板                1111 下槽
112 
蓋板                1121 上槽
113  立柱               1131 上挿入部
1132 下挿入部            1133 係合部
1134 ノッチ              12   内箱
121  とって             2    連接素子
21   フック部            211  係合槽
2111 停止ブロック
【図１】
0003172045.tif 000003
【図２】
0003172045.tif 000004
【図３】
0003172045.tif 000005
【図４】
0003172045.tif 000006
【図５】
0003172045.tif 000007
【図６】
0003172045.tif 000008
【図７】
0003172045.tif 000009
【図８】
0003172045.tif 000010
【図９】
0003172045.tif 000011